(57)【要約】【課題】  スカムピットからスカム処理施設へのスカムの移送を円滑に行えるようにする。【解決手段】  水処理施設で発生したスカムを受入れているスカムピットから所定のスカム処理施設へ移送するスカム移送装置において、前記スカムピットの底部に開口した吸引管と、その吸引管に負圧を発生させるとともに、その吸引管を介して移送されてきたスカムを貯留する貯留槽と、その貯留槽から前記所定のスカム処理施設へスカムを排出する排出手段とからなる。【選択図】図１
2005095780.tif 000002
【特許請求の範囲】
【請求項１】
水処理施設で発生したスカムを受入れているスカムピットから所定のスカム処理施設へ移送するスカム移送装置において、
前記スカムピットの底部に開口した吸引管と、
前記吸引管に負圧を発生させるとともに、その吸引管を介して移送されてきたスカムを貯留する貯留槽と、
前記貯留槽から前記所定のスカム処理施設へスカムを排出する排出手段と、
からなることを特徴とするスカム移送装置。
【請求項２】
請求項１に記載のスカム移送装置において、吸引管は、スカムピットの槽璧の外側に配管されることを特徴とするスカム移送装置。
【請求項３】
請求項１又は２に記載のスカム移送装置において、スカムピットの底部は、吸引管に吸引されるスカムに旋回流を付与する溝が形成されていることを特徴とするスカム移送装置。
【発明の詳細な説明】
【技術分野】
【０００１】
本発明は、下水処理場等の水処理施設で発生するスカムを効率よく移送できるようにしたものに関する。
【背景技術】
【０００２】
下水処理場においては、沈殿池の導水渠等において発生したスカムが集められてスカムピットに貯留されるように構成されている（特許文献１参照）。そして、スカムピットに集められたスカムは、水中ポンプを利用したスカム移送装置を介してスカム加圧浮上濃縮機、脱水機及び焼却炉等を備えたスカム処理施設へ移送されて処理されるように構成されている。
【０００３】
図３は、水中ポンプを利用したスカム移送装置を示した断面図である。図３中、１０は、所定の容量及び所定の深さを有するスカムピットであり、その底面は中央部に向けて下り傾斜が付され、その中央部分が周囲よりも一段と低いポンプピット１１に形成されている。このポンプピット１１は、通称、釜場と呼ばれるもので、スカムピット１０の底面からポンプピット１１内に流れ込むスカムを含む水流に旋回流を生じさせることができるように、ポンプピット１１の側面において接線方向に開口した溝１２が形成されている。したがって、スカムを含んだ水は、スカムピット１０内で旋回しながら水中ポンプ１３に吸引されるので、スカムの流動を促進させてスカムをスカムピット１０内から効率よく排出させることができる。
【０００４】
上記水中ポンプ１３は、その水中ポンプ１３の吸引管１３ａがポンプピット（釜場）内に位置するように設置されるとともに、保守点検時には、ガイドパイプ１４に案内されてチェーン１５を介して持ち上げられるように構成されている（図３の二点鎖線参照）。
【特許文献１】特開平１１−２８５６８７号公報
【発明の開示】
【発明が解決しようとする課題】
【０００５】
しかしながら、上記従来の水中ポンプを利用したスカム移送装置は、スカムピット内に水中ポンプ及びこれに付属する部材や部品が存在しているため、これら部材等にスカムが付着し、清掃作業の負担が増加するという欠点があった。上記図３を参照してさらに説明すると、スカムピット１０内には、水中ポンプ１３の外に、水中ポンプ１３の上下動を案内するガイドパイプ１４、水中ポンプ１３を持ち上げるためのチェーン１５、水中ポンプ１３を据え付けるための架台１６、水中ポンプ１３の吐出管１７等の部材やボルト・ナット等の部品が多数存在し、これら部材や部品にスカムがからみついてしまい、これらを取り除くために清掃作業が増大するという欠点があった。
【０００６】
そこで、本発明は、上記欠点を解決するためになされたものであって、その目的は、スカムピットの清掃作業を軽減することのできるスカム移送装置を提供することにある。
【課題を解決するための手段】
【０００７】
本発明に係るスカム移送装置は、上記目的を達成するために、請求項１に記載の発明は、水処理施設で発生したスカムを受入れているスカムピットから所定のスカム処理施設へ移送するスカム移送装置において、前記スカムピットの底部に開口した吸引管と、その吸引管に負圧を発生させるとともに、その吸引管を介して移送されてきたスカムを貯留する貯留槽と、その貯留槽から前記所定のスカム処理施設へスカムを排出する排出手段と、からなることを特徴としている。
本発明の請求項２に記載のスカム移送装置は、吸引管は、スカムピットの槽璧の外側に配管されることを特徴としている。
本発明の請求項３に記載のスカム移送装置は、スカムピットの底部は、吸引管に吸引されるスカムに旋回流を付与する溝が形成されていることを特徴としている。
【発明の効果】
【０００８】
本発明の請求項１に記載のスカム移送装置は、スカムピットの底部に開口した吸引管と、その吸引管に負圧を発生させるとともに、その吸引管を介して移送されてきたスカムを貯留する貯留槽と、その貯留槽から前記所定のスカム処理施設へスカムを排出する排出手段とからなるので、スカムピット内にスカムが付着したりからみつく部材や部品がなく、スカム全体を効率よく移送することが可能となり、スカムピットの清掃作業の負担を軽減することができる。
本発明の請求項２に記載のスカム移送装置は、吸引管は、スカムピットの槽璧の外側に配管されるので、よりスカムの付着やからみつきを防止することができる。
本発明の請求項３に記載のスカム移送装置は、スカムピットの底部は、吸引管に吸引されるスカムに旋回流を付与する溝が形成されているので、スカムの排出を効率よく行うことができる。
【発明を実施するための最良の形態】
【０００９】
以下、本発明を実施するための最良の形態を図面に基づいて説明する。図１は、本発明に係るスカム移送装置の概略構成図である。図１中、１は、所定容量及び所定深さを有するスカムピットであり、図示しない配管を介してこのスカムピット１の設置されている水処理施設（以下、水処理施設を下水処理場で説明する。）で発生するスカムが受入れられるように構成されている。
【００１０】
このスカムピット１の底面１′は、中央部部分が低くなるように傾斜面に形成されていて、その最も低い中央部分には、上記図３と同様に釜場と呼ばれるピット１ａが設けられている。このピット１ａには、図１のＡ−Ａ線矢視図の図２（ａ）に示されるように、ピット１ａに接線方向に開口する溝１ｂが設けられていて、ピット１ａ内に流入するスカムを含む水が旋回流を発生できるように構成されている（図１及び後述する図２（ａ）の矢印参照）。
【００１１】
図１中、２は、ピット１ａに開口部２ａを有する吸引管であって、スカムピット１の槽壁の外側に位置するように設けられ、その吸引管２の他端部は貯留槽３に自動弁からなるバルブＶ1 を介して接続されている。ピット１ａに対する吸引管２の開口部２ａは、ピット１ａ内に生じた旋回流を阻害しないように、図２（ａ）に示されるように、ピット１ａの側壁面に対して接線方向に開口されている。なお、ピット１ａ内に生じた旋回流を阻害しないようにするために、吸引管２の開口部２ａは、図２（ｂ）に示されるように、ピット１ａの底面中心位置に開口するようにしてもよい。
【００１２】
貯留槽３は、下部が漏斗状を呈した所定容量の密閉容器により構成されている。そして、その漏斗状の下部には、自動弁からなるバルブＶ2 が設けられていて、このバルブＶ2 を介して貯留槽３内のスカムをスカム加圧浮上濃縮機、脱水機、あるいは焼却炉等を備えたスカム処理施設へ移送できるように連絡されている。また、この貯留槽３の上部には、自動弁からなるバルブＶ3 を介してミストセパレータ４及び真空ポンプ５が接続されている。さらに、この貯留槽３には、図示しない圧縮空気供給源から圧縮空気が自動弁からなるバルブＶ4 を介して供給できるように構成されている。
【００１３】
上記構成からなるスカム移送装置において、スカムピット１内のスカムを図示しないスカム処理施設へ移送するには、真空ポンプ５が駆動されるとともに、バルブＶ1 及びバルブＶ3 が開とされる。これにより、貯留槽３内が負圧となり、吸引管２を開してピット（釜場）１ａ内のスカムを含む汚水が吸引されて貯留槽３内に貯留される。ピット１ａ内からスカムを含む汚水が吸引されるに伴い、ピット１ａ及びスカムピット１内のスカムを含む汚水全体に旋回流が生じ、スカムがスカムピット１内に滞ることなく吸引管２に吸引される。しかも、この吸引に際しては、ピット１ａ及びスカムピット１内に従来のような部材や部品が一切存在しないので、スカムの付着やからみつきがなく、スカムを含む汚水全体をスムースに排出することができる。
【００１４】
貯留槽３内に所定量のスカムを含む汚水が貯留されると、バルブＶ1 及びバルブＶ3 は閉じられるとともに、真空ポンプ５が停止される。次いで、バルブＶ2 及びバルブＶ4 が開けられ、貯留槽３内のスカムを含む汚水がスカム処理施設へ圧送される。なお、貯留槽３が高所に位置していて、ヘッドによりスカムを含む汚水を移送できるときは、圧縮空気の供給機構は省略される。この場合は、バルブＶ4 は開放弁とされる。
【００１５】
スカムピット１が空又は空近くになったときには、底面１′に洗浄水供給管６，６から洗浄水が供給される。この洗浄水により底面１′に残存していたスカムはピット１ａ内に排出され、吸引管２を介して貯留槽３へ移送される。
【００１６】
なお、上述の例では、貯留槽３を１個としてバッチ式でスカムをスカム処理施設へ移送するようにしたが、貯留槽３を複数個（例えば２個）設けることにより、スカムを連続的にスカム処理施設へ移送することができる。
【図面の簡単な説明】
【００１７】
【図１】本発明に係るスカム移送装置を実施するための最良の形態を示す概略断面図である。
【図２】（ａ），（ｂ）は、図１のＡ−Ａ線矢視図である。
【図３】従来の水中ポンプを用いたスカム移送装置の断面図である。
【符号の説明】
【００１８】
１  スカムピット
１ａ  ピット（釜場）
１ｂ  溝
１′  底面
２  吸引管
２ａ  開口部
３  貯留槽
４  ミストセパレータ
５  真空ポンプ
Ｖ1 〜Ｖ4   バルブ
【図１】
2005095780.tif 000003
【図２】
2005095780.tif 000004
【図３】
2005095780.tif 000005